(57)【要約】      （修正有）【課題】強風時にも暴れることなく目地カバーと水切りカバーの間をカバーすることができるとともに、地震によって左右の躯体が上下方向に揺れ動いた場合であってもその揺れ動きを吸収することができる屋上用目地カバー装置を提供する。【解決手段】一方の躯体３に設けられた水切りカバー６と、他方の躯体４の外壁に取付けられ、水切りカバー６の上部に位置する目地カバー７と、この間の隙間を塞ぐカバー装置８とを備え、カバー装置８は、所定間隔を有して複数個設けられたカバープレート１４と、最下方に位置するカバープレート１４に回転軸を介して設けられ、かつ、先端部側が水切りカバー６の上面に通常時ないし地震時に常に当接する端部カバープレートとで構成され、隣り合うカバープレート１４の一部分が互いに重なり合うとともに、少なくとも一部は上下方向に移動可能に取り付けられている。【選択図】図１
2020084438.tif 000002
【特許請求の範囲】
【請求項１】
目地部を介して設けられた一方と他方の躯体間の目地部をカバーする屋上用目地カバー装置であって、前記一方の躯体に設けられた水切りカバーと、一端部が前記他方の躯体の外壁に取付けられ、前記水切りカバーの上部にその他端部が位置する目地カバーと、この目地カバーの他端部と前記水切りカバーの間の隙間を塞ぐカバー装置とを備え、前記カバー装置は、所定間隔を有して複数個設けられたカバープレートと、該カバープレートのうち最下方に位置する前記カバープレートに回転軸を介して設けられ、かつ、その先端部側が前記水切りカバーの上面に、通常時ないし地震時に常に当接する端部カバープレートとで構成され、前記複数個のカバープレートは、隣り合うカバープレートの一部分が互いに重なり合うとともに、前記複数個のカバープレートのうち少なくとも一部は上下方向に移動可能に取り付けられている屋上用目地カバー装置。
【請求項２】
前記カバー装置は、パンタグラフ状のリンク部材を備え、前記複数個のカバープレートは、前記リンク部材の枢支部に枢支ピンを介して取り付けられ、前記複数個のカバープレートの少なくとも一部の上下移動の範囲を制限するガイド部材を備えることを特徴とする請求項１に記載の屋上用目地カバー装置。
【請求項３】
前記カバープレートは、上下方向に３つ設けられ、このカバープレートのうち中央部に位置するカバープレートを取り付けている前記枢支ピンは、前記ガイド部材に形成された長孔を貫通しており、通常時において前記枢支ピンは前記長孔の下端部に位置することを特徴とする請求項２に記載の屋上用目地カバー装置。
【請求項４】
前記端部カバープレートの先端部には、おもりを備えていることを特徴とする請求項１乃至請求項３のいずれかに記載の屋上用目地カバー装置。
【発明の詳細な説明】
【技術分野】
【０００１】
本発明は目地部を介して設けられた躯体の間の目地部を塞ぐ屋上用目地カバー装置に関する。
【背景技術】
【０００２】
従来の屋上用目地カバー装置は、「パラペットに設置された水切りカバーと、この水切りカバーの支持片の上部に位置するように取り付けられた目地カバーと、この水切りカバーと目地カバーの間の隙間を塞ぐように、目地カバーの他端部に防水ゴムが設けられた屋上用目地装置」が知られている（特許文献１）。
【０００３】
しかしながら、このような屋上用目地カバー装置では、目地カバーと水切りカバーの隙間が小さい場合にはある程度機能するものの、地震によって左右の躯体が上下方向に揺れ動くことが想定される場合には、目地カバーと水切りカバーの隙間をある程度大きくしなければならず、そのような場合には、防水ゴムが風によって暴れやすくなり、防水ゴムが外側にめくれ上がった場合には、雨風が目地装置内に吹き込んでしまうという問題点があった。
【先行技術文献】
【特許文献】
【０００４】
【特許文献１】特開２０１１−５２５０２号公報
【発明の概要】
【発明が解決しようとする課題】
【０００５】
本発明は以上のような従来の欠点に鑑み、強風時にも暴れることなく目地カバーと水切りカバーの間をカバーすることができるとともに、地震によって左右の躯体が上下方向に揺れ動いた場合であってもその揺れ動きを吸収することができる屋上用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の屋上用目地カバー装置は、目地部を介して設けられた一方と他方の躯体間の目地部をカバーする屋上用目地カバー装置であって、前記一方の躯体に設けられた水切りカバーと、一端部が前記他方の躯体の外壁に取付けられ、前記水切りカバーの上部にその他端部が位置する目地カバーと、この目地カバーの他端部と前記水切りカバーの間の隙間を塞ぐカバー装置とを備え、前記カバー装置は、所定間隔を有して複数個設けられたカバープレートと、該カバープレートのうち最下方に位置する前記カバープレートに回転軸を介して設けられ、かつ、その先端部側が前記水切りカバーの上面に、通常時ないし地震時に当接する端部カバープレートとで構成され、前記複数個のカバープレートは、隣り合うカバープレートの一部分が互いに重なり合うとともに、前記複数個のカバープレートのうち少なくとも一部は上下方向に移動可能に取り付けられていることを特徴とする。
【０００８】
請求項２に記載の屋上用目地カバー装置の前記カバー装置は、パンタグラフ状のリンク部材を備え、前記複数個のカバープレートは、前記リンク部材の枢支部にそれぞれ枢支ピンを介して取り付けられ、前記カバープレートの上下移動の範囲を制限するガイドレールを備えることを特徴とする。
【０００９】
請求項３に記載の屋上用目地カバー装置の前記カバープレートは、上下方向に３つ設けられ、このカバープレートのうち中央部に位置するカバープレートを取り付けている前記枢支ピンは、前記ガイドレールに形成された長孔を貫通しており、通常時において前記枢支ピンは前記長孔の下端部に位置することを特徴とする。
【００１０】
請求項４に記載の屋上用目地カバー装置の前記端部カバープレートの先端部には、おもりを備えていることを特徴とする。
【発明の効果】
【００１１】
以上の説明から明らかなように、本発明にあっては次に列挙する効果が得られる。
（１）請求項１に記載の発明においては、複数個のカバープレートを有する閉塞装置により、水切りカバーと目地カバーの間の隙間が大きい場合であっても確実に塞ぐことができ、強風等が吹いている場合であっても、カバープレートがめくれ上がることがなく、雨水等が目地部内へ入り込むことを確実に防止することができる。
（２）また、カバープレートは上下方向に移動可能に取り付けられているので、地震によって一方と他方の躯体が異なる上下方向に揺れ動いた場合であっても、カバープレート等が破損することなく地震による揺れ動きを吸収することができる。
（３）下端部に位置するカバープレートの先端部には回転軸を介して端部プレートを備えているので、一方と他方の躯体が異なる上下方向に離間するように動いた場合であっても、水切りカバーと目地カバーの間の隙間が大きい場合であっても確実に塞ぐことができ、雨水等が目地部内へ入り込むことを確実に防止することができる。
（４）請求項２及び請求項３に記載の各発明においても、前記（１）〜（３）と同様な効果が得られる。
（５）請求項４に記載の発明においても、前記（１）〜（３）と同様な効果が得られると共に、おもりにより端部プレートの先端部を水切りカバーの上面に確実に当接させることができる。
【図面の簡単な説明】
【００１２】
図１乃至図１０は本発明の第１の実施形態を示す説明図である。
図８乃至図１３は本発明の第２の実施形態を示す説明図である。
【図１】第１の実施形態を示す屋上用目地カバー装置の平面図（通常時）。
【図２】図１の２−２線に沿う断面図。
【図３】図１の３−３線に沿う断面図。
【図４】水切りカバーの説明図。
【図５】目地カバーの説明図。
【図６】カバー装置の説明図。
【図７】地震で目地部が狭くなった場合の正面視側からの動作説明図。
【図８】地震で目地部が広くなった場合の正面視側からの動作説明図。
【図９】地震で目地カバーと水切りカバーの間の隙間が狭くなった場合の正面視側からの動作説明図。
【図１０】地震で目地カバーと水切りカバーの間の隙間が広くなった場合の正面視側からの動作説明図。
【図１１】第２の実施形態を示す屋上用目地カバー装置の平面図。
【図１２】図１１の１２−１２線に沿う断面図。
【図１３】図１１の１３−１３線に沿う断面図。
【発明を実施するための形態】
【００１３】
以下、図面に示す本発明を実施するための形態により、本発明を詳細に説明する。
図１乃至図１０に示す本発明を実施するための第１の形態において、１は目地部２を介して設けられた一方の躯体３及び他方の躯体４間に設置された屋上用目地カバー装置である。
【００１４】
なお、左右方向とは図１（平面視）における左右方向であり、前後方向とは図１における上下方向、上下方向とは図２における上下方向をいう。
【００１５】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１６】
本実施形態の屋上用目地カバー装置１は、図１乃至図３に示すように、一方の躯体３のパラペット５に設けられた水切りカバー６と、他方の躯体４の外壁４ａにその一端部７ａが取付けられ、該水切りカバー６の一方の躯体３側の端部付近にその他端部７ｂが位置する目地カバー７と、この目地カバー７の下方へ突出する他端部７ｂと前記水切りカバー６の目地部側の端部の間の隙間を塞ぐカバー装置８とで構成されている。
【００１７】
水切りカバー６は、一方の躯体３の目地部２側の上面、本実施形態においては一方の躯体３のパラペット５の上面に固定されるもので、例えば正面視として図２を参照にすると、略クランク形状で、左右の両端部６ａ、６ｂを除いた上面６ｃが傾斜面状に形成されている。この水切りカバー６の一方の躯体３側（目地部２の反対側）の一端部は、パラペット５の内側壁面に当接するように、下方へ突出する誘導側壁６ａを備えている。
また、目地部２側の他端部には、略垂直に立ち上がる側壁６ｂを備えている。
【００１８】
この水切りカバー６は、パラペット５の上部に複数本のアンカーボルト等で、所定間隔を隔てて複数個設けられた水切りカバー取付具９を介して一方の躯体３のパラペット５の上面に固定される。
【００１９】
目地カバー７は、他方の建物４の外壁４ａに複数本のタッピングビス等によって所定間隔で固定された複数個の目地カバー支持金具１０に支持されるとともに、他方の躯体４の壁面に取付端部が固定され、目地部２をカバーするものである。この目地カバー７は、図５に示すように、上面が傾斜面状に形成されており、その他端部７ｂは、本実施形態においては水切りカバー６の一方の躯体３側の端部付近に位置する。この他端部７ｂは下方へ突出する側壁状に形成されている。
【００２０】
なお、目地カバー７の前後方向の両側には、ヒンジ部材１１を介して回動する側部カバー板１２が設けられている。この側部カバー板１２は目地カバー７に当接するようにバネ部材等（図示せず）によって適宜付勢されており、地震によって左右の躯体が異なる前後方向揺れ動いた場合に、前記ヒンジ部材１１を支点に回動して揺れ動きを吸収するとともに、揺れが終了すると、前記バネ部材等（図示せず）の付勢力により自動的に通常時の状態に復帰するものである。
【００２１】
また、この側部カバー板１２の下部には、左右方向に伸縮する壁面用目地装置１３を設けることが望ましい。この壁面用目地装置１３は公知の壁面用目地装置を用いることができるので、ここではその説明は割愛する。
【００２２】
カバー装置８は、上下方向に所定間隔を有して複数個、本実施形態においては、３つ設けられたカバープレート１４と、該カバープレート１４のうち最下方に位置する前記カバープレート１４の下端部に回転軸１５を介して設けられ、かつ、その先端部が常時水切りカバー６の上面６ｃに当接する端部カバープレート１６とで構成されている。
【００２３】
この前記複数個のカバープレート１４のうち、中央のカバープレート１４と下端部に位置するカバープレート１４は、上下方向に移動可能に取り付けられており、この３つのカバープレート１４はそれぞれ隣り合うカバープレート１４と互いにその一部が重なる状態で取り付けられている。
【００２４】
また、このカバープレート１４は上端に位置するカバープレート１４が最も外側に位置するように重ねられ、下端に位置するカバープレート１４が最も内側に位置するように取り付けられている。
【００２５】
このように取り付けることにより、雨水等がカバープレート１４の表面を伝って下方へ流れ、カバープレート１４の内部に入り込むことなく排出される。
【００２６】
前記複数個のカバープレート１４は、平面視略クランク状の金属製の板材で、その基端部１４ａが前後方向に延在するバー部材１７にそれぞれ固定され、このバー部材１７はリンク部材１８の枢支部１９にそれぞれ枢支ピン２０を介して取り付けられている。すなわち、複数個のカバープレート１４は、バー部材１７を介してリンク部材１８の枢支部１９に取り付けられている。
【００２７】
リンク部材１８は、本実施形態においては、略矩形状のリンクと対抗するリンクに枢支されたアームとで構成されており、矩形状のリンクの上下部の枢支部１９及びアームに形成された枢支部１９にカバープレート１４が取り付けられる。
【００２８】
このリンク部材１８は、前後方向に複数個、本実施形態においては、３つ設けられており、その上端部の枢支部１９が、目地カバー７の他端部７ｂと重なるように取付具１８ａを用いて取り付けられており、中央の枢支部１９及び下端の枢支部１９に取り付けられているカバープレート１４は上下方向に移動可能な状態となっている。
【００２９】
このようなリンク部材１８を用いることにより、複数個のカバープレート１４は等間隔状態を保ったまま上下移動することができる。
【００３０】
ところで、リンク部材１８の内側には長孔２１を有するガイドレール２２が設けられており、このガイドレール２２はその上端部が目地カバー７や目地カバー支持金具１０に溶接、ボルト等により固定されている。
【００３１】
このガイドレール２２の長孔２１には中央のカバープレート１４の枢支ピン２０が貫通状態で係合しており、この中央のカバープレート１４の上下移動の範囲が制限されている。
【００３２】
このように中央のカバープレート１４の上下移動の範囲を制限することにより、地震によって水切りカバー６と目地カバー７の間の隙間が大きくなった場合にカバープレート１４間の間隔が大きくなりすぎてカバープレート１４の間に隙間が生じることを防止できる。
【００３３】
本実施形態においては、中央のカバープレート１４の枢支ピン２０は、通常時（図２等の状態）において、ガイドレール２２の長孔２１の略下端部に位置するように設けられている。
【００３４】
このように構成することで、隣り合うカバープレート１４の重なり幅を最小限とすることができるとともに、リンク部材１８が縮む際の動き幅を大きくすることができる。
【００３５】
また、上方のカバープレート１４の枢支ピン２０もガイドレール２２を貫通するように設けられている。この上方のカバープレート１４は上下移動しないため、この枢支ピン２０が貫通する孔は通常の貫通孔に形成されている。
【００３６】
本実施形態においては、取付具１８ａを用いてリンク部材１８を取り付けているが、このようにガイドレール２２を介してリンク部材１８を支持できるので、取付具１８ａを用いずガイドレール２２を介してリンク部材１８を目地カバー７や目地カバー支持金具１０に取り付けてもよい。
【００３７】
複数個のカバープレート１４のうち、下端部（最下方）に位置するカバープレート１４の先端部には、回転軸１５を介して端部カバープレート１６が取り付けられている。
【００３８】
この端部カバープレート１６は、その基端部１６ａ側又は先端部１６ｂ側の少なくともいずれか一方が水切りカバー６の上面６ｃに常時当接しており、通常時においては基端部１６ａ側と先端部１６ｂ側の両方が当接している。
【００３９】
この端部カバープレート１６の先端部１６ｂ側には、本実施形態においては、おもり２３が設けられており、強風が吹いた場合であっても、確実に水切りカバー６の上面６ｃに端部カバープレート１６の先端部１６ｂ側が当接するように構成されている。
【００４０】
なお、おもり２３を端部カバープレート１６の先端部１６ｂ側の底面側に設ける場合には、このおもり２３が水切りカバー６の上面６ｃに当接している状態も端部カバープレート１６の先端部１６ｂ側が水切りカバー６の上面６ｃに当接している状態に含むものである。すなわち、このような場合には、おもり２３を介して端部カバープレート１６の先端部１６ｂ側が水切りカバー６の上面６ｃに当接しているといえる。
【００４１】
ところで、端部カバープレート１６の基端部１６ａ側には、雨が内部へ侵入することを確実に防止できるように、ゴム等の弾性材で形成された短い防水カバー２４が設けられている。
【００４２】
これらの回転軸（ヒンジ部材）１５とカバー２４はカバープレート１４の先端部に直接取り付けてもよいが、本実施形態においては、カバープレート１４の先端部にバー部材１７を固定し、このバー部材１７を介して設けられている。
【００４３】
地震で躯体３、４が左右方向に揺れ動き目地部２が狭くなると、図６に示すように、目地カバー７が一方の躯体３側へ突出するようにスライド移動し、地震による揺れ動きを吸収する。
【００４４】
このとき、本実施形態においては、端部カバープレート１６の先端部１６ｂ側は水切りカバー６の上面６ｃをスライド移動し、常時当接した状態で揺れ動きを吸収するが、端部カバープレート１６の長さが長くなり左右の動き幅が確保できない場合、端部カバープレート１６の先端部１６ｂ側が水切りカバー６の側壁６ｂに当接し、回転軸１５を支点に上方に回動して揺れ動きを吸収できるように構成してもよい。このような場合であっても、端部カバープレート１６の基端部１６ａ側が水切りカバー６の上面に当接しているため、雨等が目地部２内部に入り込むことを防止することができる。
【００４５】
地震で躯体３、４が左右方向に揺れ動き目地部２が広くなると、図７に示すように、目地カバー７の他端部７ｂが水切りカバー６上を他方の躯体４側へスライド移動し、地震による揺れ動きを吸収する。
【００４６】
地震で躯体３、４が上下方向に揺れ動き目地カバー７の他端部と水切りカバー６の間の隙間が狭くなると、図８に示すように、端部カバープレート１６が水切りカバー６の上面により押し上げられることで、リンク部材１８が縮み、中央のカバープレート１４及び下方のカバープレート１４が同調して上方へ移動して地震による揺れ動きを吸収する。
【００４７】
地震で躯体３、４が上下方向に揺れ動き目地カバー７の他端部と水切りカバー６の間の隙間が広くなると、図９に示すように、中央のカバープレート１４は下方への移動を制限されているので、リンク部材１８が伸長することなく複数個のカバープレート１４が通常時と同様の間隔を維持したまま上方へ移動するとともに、端部カバープレート１６が回転軸１５を支点に回動し、端部カバープレート１６の先端部が水切りカバー６の上面６ｃに当接した状態となって地震による揺れ動きを吸収する。
【００４８】
[発明を実施するための異なる形態]
次に、図１０乃至図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４９】
図１１乃至図１３に示す本発明を実施するための第２の形態において、前記本発明を実施するための第１の形態と主に異なる点は、略矩形状のリンクを２つ接続したパンタグラフ状のリンク部材１８Ａを用いたカバー装置８Ａとした点で、このようなカバー装置８Ａを用いた屋上用目地カバー装置１Ａにしても、前記本発明を実施するための第１の形態と同様の作用効果を得ることができる。
【００５０】
なお、本発明の実施形態においては、カバー装置にリンク部材を用いてカバープレートを取り付けるものについて説明したが、例えばリンク部材を用いずにガイドレールに直接カバープレートを取り付け、地震によって隙間が狭くなった場合には、下端部のカバープレートが水切りカバーにより押し上げられ、下端部のカバープレートが中央部のカバープレートに当接するまで押し上げられた後、下端部のカバープレートが中央部のカバープレートを押圧して下端部のカバープレートと中央部のカバープレートが上方へ移動し揺れ動きを吸収するように構成してもよい。
【００５１】
また、その他にも一部（主に下方）のカバープレートが上下移動可能、かつ、常時隙間を塞ぐことができる取付態様であれば、どのような構成を用いてカバープレートを取り付けてもよい。
【００５２】
さらに、本実施形態においては、カバープレートを３つ用いるものについて説明したが、カバープレートを２つ用いるものであってもよいし、４つ以上設けるものであっても良い。カバープレートを２つ用いるものについては、下方のカバープレートのみ上下移動するように取り付け、４つ以上用いる場合には、下方のカバープレートの一部又は上端部のカバープレート以外が上下移動するように取り付ければよい。
【産業上の利用可能性】
【００５３】
本発明は屋上用目地カバー装置を製造する産業で利用される。
【符号の説明】
【００５４】
１、１Ａ：屋上用目地カバー装置、    ２：目地部、
３：一方の躯体、                    ４：他方の躯体、
５：パラペット、                    ６：水切りカバー、
７：目地カバー、                    ８、８Ａ：カバー装置、
９：水切りカバー取付具、            １０：目地カバー支持金具、
１１：ヒンジ部材、                  １２：側部カバー板、
１３：壁面用目地装置、              １４：カバープレート、
１５：回転軸、                      １６：端部カバープレート、
１７：バー部材、                    １８：リンク部材、
１９：枢支部、                      ２０：枢支ピン、
２１：長孔、                        ２２：ガイドレール、
２３：おもり、                      ２４：防水カバー。
【図１】
2020084438.tif 000003
【図２】
2020084438.tif 000004
【図３】
2020084438.tif 000005
【図４】
2020084438.tif 000006
【図５】
2020084438.tif 000007
【図６】
2020084438.tif 000008
【図７】
2020084438.tif 000009
【図８】
2020084438.tif 000010
【図９】
2020084438.tif 000011
【図１０】
2020084438.tif 000012
【図１１】
2020084438.tif 000013
【図１２】
2020084438.tif 000014
【図１３】
2020084438.tif 000015
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
目地部を介して設けられた一方と他方の躯体間の目地部をカバーする屋上用目地カバー装置であって、前記一方の躯体に設けられた水切りカバーと、一端部が前記他方の躯体の外壁に取付けられ、前記水切りカバーの上部にその他端部が位置する目地カバーと、この目地カバーの他端部と前記水切りカバーの間の隙間を塞ぐカバー装置とを備え、
前記カバー装置は、所定間隔を有して複数個設けられたカバープレートと、該カバープレートのうち最下方に位置する前記カバープレートに回転軸を介して設けられ、かつ、その先端部側が前記水切りカバーの上面に、通常時ないし地震時に常に当接する端部カバープレートとで構成され、前記複数個のカバープレートは、隣り合うカバープレートの一部分が互いに重なり合うとともに、前記複数個のカバープレートのうち少なくとも一部は上下方向に移動可能に取り付けられている屋上用目地カバー装置。
【請求項２】
前記カバー装置は、パンタグラフ状のリンク部材を備え、前記複数個のカバープレートは、前記リンク部材の枢支部に枢支ピンを介して取り付けられ、前記複数個のカバープレートの少なくとも一部の上下移動の範囲を制限するガイドレールを備えることを特徴とする請求項１に記載の屋上用目地カバー装置。
【請求項３】
前記カバープレートは、上下方向に３つ設けられ、このカバープレートのうち中央部に位置するカバープレートを取り付けている前記枢支ピンは、前記ガイドレールに形成された長孔を貫通しており、通常時において前記枢支ピンは前記長孔の下端部に位置することを特徴とする請求項２に記載の屋上用目地カバー装置。
【請求項４】
前記端部カバープレートの先端部には、おもりを備えていることを特徴とする請求項１乃至請求項３のいずれかに記載の屋上用目地カバー装置。